(57)【要約】【課題】  ボタンを容易に押すことができる無線伝送装置を提供する。【解決手段】  無線伝送装置１は、弾性押しボタン１０、制御モジュール１１及び無線受発信モジュール１２を備える。弾性押しボタン１０は第１弾性体１０１と第２弾性体１０２とを有し、第１弾性体１０１の一側面には導電クロス１３が設けられ、第２弾性体１０２の一側面のうち導電クロス１３に対応する位置は凸凹に形成されている。上記凸凹の凹み部には導電性繊維１４が縫製されている。弾性押しボタン１０が押圧されないとき、第１弾性体１０１の導電クロス１３には、第２弾性体１０２のうち導電性繊維１４が縫製されていない突起部が接触する。一方、第１弾性体１０１と第２弾性体１０２とが外力により変形すると、導電性繊維１４と導電クロス１３とが接触する。本考案によれば、弾性押しボタン１０は、表面積を大きくすることにより押し易くなる。【選択図】図１
0003179452.tif 000002
【実用新案登録請求の範囲】
【請求項１】
第１弾性体と第２弾性体とを有し、前記第１弾性体の一側面には導電クロスが設けられ、前記第２弾性体の一側面のうち前記導電クロスに対応する位置は凹凸を形成し、前記凹凸の凹み部の深部には導電性繊維が縫製されており、前記第１弾性体の周縁部と前記第２弾性体の周縁部は互いに結合している弾性押しボタンと、
無線受発信モジュールと、
前記無線受発信モジュールと前記導電クロスと前記導電性繊維とにそれぞれ電気的に接続され、前記導電クロスが前記導電性繊維と接触し導通する状態を判断したとき、前記無線受発信モジュールにより通報指令を送信する制御モジュールと、
を備えることを特徴とする無線伝送装置。
【請求項２】
前記制御モジュールに電気的に接続する確認モジュールをさらに有し、
前記制御モジュールが前記無線受発信モジュールを介して確認指令を受信したとき、前記確認モジュールは、前記制御モジュールにより駆動され、確認指令に基づき、相応の確認信号を送信することを特徴とする請求項１記載の無線伝送装置。
【請求項３】
前記確認モジュールは、発光素子を有し、前記確認信号として前記発光素子を駆動して発光させることを特徴とする請求項２記載の無線伝送装置。
【請求項４】
前記制御モジュールは、リード線を介して前記導電クロスと前記導電性繊維とに電気的に接続していることを特徴とする請求項３記載の無線伝送装置。
【考案の詳細な説明】
【技術分野】
【０００１】
本考案は、無線伝送装置に関する。
【背景技術】
【０００２】
近年、ケアサービスの発展につれ、たとえば療養所、養護施設及び病院などの各種の養護施設の設備もますます健全化されている。考案者が研究及び観察したところ、高齢化の影響により、老人及び患者が養護施設に入居し、長期間の療養または長期的の医療サービスを受けることがますます多くなっている。老齢者と患者の日常生活の利便性及び安全性を有効に確保するため、一部の養護施設がベッドサイド、浴室およびトイレに伝送装置を設置している。よく見かける伝送装置は、押しボタン式呼び出し装置である。この種の伝送装置は、無線または有線方式により、サービスデスクまたは監視センターなどの呼び出しベルあるいは監視装置に接続しており、押しボタンが押されたとき呼び出しベルまたは監視装置に信号を発送して通知効果を達成する。
【０００３】
老齢者または患者がトイレなど生理上の需要またはつまずいて倒れるなどの事故に遭うような緊急事態のとき、老齢者または患者は、伝送装置の呼び出しボタンを押して所定の音声を伝送するか、あるいはサービスデスクの監視画面より当該伝送装置に対応したベッド番号または場所を表示させる。このように、ただちに当直の介護者に連絡することができ、かつ速やかに処置し、老齢者または患者に必要なサービスを提供するか、または非常状態を排除して、老齢者または患者に快適、安全な養護環境を提供できる。
【考案の概要】
【考案が解決しようとする課題】
【０００４】
前述の押しボタン式呼び出し装置は、使用者がリアルタイムにメッセージを発信し、通知効果を有する。しかし、考案者が長期にわたる観察及び研究したところ、公知の呼び出しボタンはプラスチック部材からなり、かつ触感及び押圧の手応えは硬く、接触面積も小さい。それだけでなく、公知の呼び出しボタン内部は、金属バネ板を導体としたものが多い。そのため、使用者は、金属バネ板の弾力よりも大きい力を入力しなければ、呼び出しボタンを有効に押圧することはできない。しかし、老齢者または体の弱い患者にとって、公知の呼び出しボタンの面積が小さ過ぎるため、使用者が呼び出しボタンに力を加えることが難しく、特に指部に力のない使用者にとって、使用者の指部が呼び出しボタンを押圧するのに十分な力は出せない。よって、伝送装置が予期効果を発揮することはできない。使用者が非常状態に遭って伝送装置の呼び出しボタンを有効に押圧することができないとき、介護者は使用者の状態を知ることはできず、ただちに処理することはできない。
【０００５】
本考案は、上述の点に鑑みてなされたものであり、その目的は、ボタンを容易に押すことができる無線伝送装置を提供することである。
【課題を解決するための手段】
【０００６】
本考案による無線伝送装置は、弾性押しボタンと、無線受発信モジュールと、制御モジュールと、を備える。弾性押しボタンは、第１弾性体と、第２弾性体とを有している。第１弾性体の一側面には導電クロスが設けられており、第２弾性体の一側面のうち導電クロスに対応する位置は凸凹を形成している。第２弾性体の凸凹の凹み部の深部には導電性繊維が縫製されている。第１弾性体の周縁部と第２弾性体の周縁部とは互いに結合し、弾性変形可能な押しボタンを形成する。
制御モジュールは、無線受発信モジュールと導電クロスと導電性繊維とに電気的に接続している。制御モジュールは、導電クロスと導電性繊維との導通を判断したとき、無線受発信モジュールに対して通報指令を伝送し、無線受発信モジュールに通報指令を伝送させる。
【０００７】
したがって、無線受発信モジュールが伝送する通報指令を通報装置が受信した後、ベル音声などを発信し、遠隔通知の効果を達成する。さらに、本考案は、第２弾性体の一側面の凹み部に導電性繊維が設けられているため、弾性押しボタンが押圧されていない状態、すなわち、第１弾性体および第２弾性体のいずれも受力変形していないとき、第１弾性体の導電クロスと第２弾性体の導電性繊維との間は所定距離を維持していて、互いに導通されず、第２弾性体は導電性繊維が縫製されていない突起部が導電クロスに接触される。一方、第１弾性体と第２弾性体とが外力によって変形し、かつ第２弾性体の導電性繊維が盛り上がると、第１弾性体の導電クロスに接触し、導電性繊維と導電クロスとが互いに導通される。よって、押しボタンの誤動作を有効に避けることができる。本考案によれば、弾性押しボタンの表面面積を調節することによって、老齢者または体の弱い患者は手の全体を弾性押しボタンに押圧して弾性押しボタンに力を加えることができ、押しボタンの操作利便性を大幅に向上することができる。
【０００８】
また、本考案では、無線発送装置は確認モジュールをさらに有し、制御モジュールが無線受発信モジュールを介して、通報装置よりフィードバックされた確認指令を受信した後、制御モジュールより確認モジュールを駆動して確認信号を送信し、使用者に弾性押しボタンがすでに押圧されたことを知らせると共に通報装置が通報指令の受信を確認することができる。
また、本考案では、確認モジュールは発光素子を有し、確認モジュールによって発光素子を駆動して信号確認とすることが可能である。
【図面の簡単な説明】
【０００９】
【図１】本考案の一実施形態による無線伝送装置の分解斜視図である。
【図２】本考案の一実施形態による無線伝送装置の第２弾性体の断面図である。
【図３】本考案の一実施形態による無線伝送装置の斜視図である。
【図４】本考案の一実施形態による無線伝送装置が備える各素子のブロック図である。
【考案を実施するための形態】
【００１０】
本考案の一実施形態を図面に基づき説明する。
（一実施形態）
【００１１】
弾性体と導電クロス及び導電性繊維とを組み合わせて弾性押しボタンに仕上げた後、弾性押しボタンを無線受発信装置に取り付けて、公知押しボタンが押圧困難の問題の解決を図る。
【００１２】
本考案の一実施形態による無線伝送装置を図１に示す。図１に示すように、無線伝送装置１は、弾性押しボタン１０と、制御モジュール１１と、無線受発信モジュール１２と、を備える。弾性押しボタン１０は、第１弾性体１０１と、第２弾性体１０２と、を有する。第１弾性体１０１および第２弾性体１０２は、例えば発泡スチロールなどの発泡材から構成されている。第１弾性体１０１の一側面には導電クロス１３が設けられている。導電クロス１３は、縫製または貼り付けにより第１弾性体１０１に取り付けられている。
【００１３】
第２弾性体１０２の一側面のうち導電クロス１３に対応する位置は、図２に示すように凸凹を形成しており、凹み部１０２ａおよび突起部１０２ｂを有している。凹み部１０２ａの深部には導電性繊維１４が縫製されている。第２弾性体１０２は弾性を有するため、導電性繊維１４が第２弾性体１０２に縫製されるとき、導電性繊維１４によって第２弾性体１０２はきつく締め付けられると、第２弾性体１０２の導電性繊維１４に対応する位置には凹み部１０２ａが形成され、凹み部１０２ａの端には突起部１０２ｂが形成される。図１、図３に示すように、第１弾性体１０１の周縁部と第２弾性体１０２の周縁部とは互いに溶着されており、弾性押しボタン１０を形成する。
【００１４】
図４に示すように、制御モジュール１１は、無線受発信モジュール１２、導電クロス１３及び導電性繊維１４に接続している。図１に示すように、制御モジュール１１は、リード線１５ａを介して導電クロス１３に接続し、またリード線１５ｂを介して導電性繊維１４に接続している。また無線伝送装置１は、電源モジュール１６をさらに有している。電源モジュール１６は、制御モジュール１１及び無線受発信モジュール１２などの素子の稼働に必要な電気を供給する。
【００１５】
図４に戻って、制御モジュール１１は、導電クロス１３と導電性繊維１４とが接触していることを判断したとき、無線受発信モジュール１２に対して通報指令を発信し、無線受発信モジュール１２に通報指令を伝送させる。通報装置４は、無線伝送装置１より送信された通報指令を受信することができる。通報装置４は、無線伝送モジュール４０と、処理モジュール４１と、通知モジュール４２と、を有する。通知モジュール４２には例えば警報機が設けられる。処理モジュール４１は、伝送モジュール４０と通知モジュール４２とに接続しており、伝送モジュール４０を介して無線伝送装置１が発信された通報指令を受信できる。処理モジュール４１が通報指令を受信すると、処理モジュール４１は、通知モジュール４２を制御し、介護者またはその他の者に弾性押しボタン１０が押圧されたことを知らせるために通知モジュール４２に例えばベル、振動または発光方式などの通知メッセージを発信させて、遠隔通知の効果を有効に達成する。
【００１６】
無線伝送装置１は、確認モジュール１７をさらに有している。確認モジュール１７は、制御モジュール１１と接続しており、発光素子１７０を有している。処理モジュール４１が無線伝送装置１より伝送された通報指令を受信すると、処理モジュール４１は、無線伝送モジュール４０を介して無線伝送装置１に確認指令を発信する。制御モジュール１１が無線受発信モジュール１２を介して確認指令を受信すると、制御モジュール１１は確認モジュール１７を駆動する。確認モジュール１７は、上記確認指令に基づき、相応の確認信号を送信する。本実施形態では、確認モジュール１７は、発光素子１７０を駆動して点滅する灯号などを発光させ、確認信号とする。これにより、弾性押しボタン１０を押圧した使用者は確認信号に基づき、弾性押しボタン１０が確実に押圧されたことと、通報装置４が通報指令を受信したことを確認することができるため、無線伝送装置１の使用の利便性を大幅に向上できる。
【００１７】
図１、図２に戻って、本実施形態では、第２弾性体１０２一側面に形成された凹み部１０２ａの深部に導電性繊維１４が縫製されている。そのため、弾性押しボタン１０が押圧されていないとき、すなわち、第１弾性体１０１または第２弾性体１０２が受力変形していないとき、第１弾性体１０１の導電クロス１３と第２弾性体１０２の導電性繊維１４との間は距離を維持しているため、導電クロス１３と導電性繊維１４とが互いに導通されない。第２弾性体１０２は、突起部１０２ｂが第１弾性体１０１の導電クロス１３と接触するため、押しボタンの誤動作を有効に避けることができる。一方、使用者が弾性押しボタン１０を押圧することにより、第１弾性体１０１と第２弾性体１０２とも外力により変形したとき、導電性繊維１４は、第２弾性体１０２が変形して盛り上がることにより、第１弾性体１０１の導電クロス１３に接触する。このとき、導電性繊維１４は導電クロス１３と導通する。
【００１８】
本実施形態によれば、弾性押しボタン１０の表面積を自由に調節することができる。たとえば、弾性押しボタン１０の表面積を大きくして、弾性押しボタン１０の表面積を使用者の手の大きさに合わせることができる。これにより、老齢者または体の弱い患者は手のひら全体で弾性押しボタン１０を押圧することができ、容易に弾性押しボタン１０に力を加えることができる。
したがって、公知の押しボタンの面積が小さいために押圧することができないという問題を有効に解決し、押しボタン操作の利便性を大幅に向上することができる。このような無線伝送装置１は、例えば一般家庭のドアベル及び会議室の通知ベルなどにも応用することができる。
【００１９】
以上の説明は本考案の一実施形態の説明である。本考案は、上述した実施形態に限らず、発明の趣旨を逸脱しない範囲で種々の形態で実施可能である。
例えば、第１弾性体および第２弾性体は、発泡材以外の部材から構成されてもよい。
また、第１弾性体および第２弾性体は、綿糸により縫合されず、溶着またはその他方法により結合されてもよい。
【符号の説明】
【００２０】
１・・・・・無線発送装置
１０・・・・弾性押しボタン
１０１・・・第１弾性体
１０２・・・第２弾性体
１０２ａ・・凹み部
１０２ｂ・・突起部
１１・・・・制御モジュール
１２・・・・無線受発信モジュール
１３・・・・導電クロス
１４・・・・導電性繊維
１５ａ、１５ｂ・・・リード線
１６・・・・電源モジュール
１７・・・・確認モジュール
１７０・・・発光素子
３・・・・・綿糸
４・・・・・通報装置
４０・・・・無線伝送モジュール
４１・・・・処理モジュール
４２・・・・通知モジュール
【図１】
0003179452.tif 000003
【図２】
0003179452.tif 000004
【図３】
0003179452.tif 000005
【図４】
0003179452.tif 000006